(57)【要約】【課題】より利便性の高い画像形成システムを提供することを目的とする。【解決手段】画像を記憶する外部機器２０と、当該外部機器２０に直接接続し、画像を出力する画像形成装置１０とを備えた画像形成システム１であって、画像形成装置１０は、外部機器２０から画像を取得する画像取得手段１００と、画像の出力形態の指定を受け付ける出力形態指定受付手段１０８と、出力部数の指定を受け付ける出力部数指定受付手段１０８と、出力部数指定手段１０８が複数部数の指定を受け付けた場合に、出力形態指定受付手段１０８が受け付けた出力形態で、複数部数だけ前記画像を出力する画像出力手段１１０とを有する。【選択図】        図２
2007245518.tif 000002
【特許請求の範囲】
【請求項１】
画像を記憶する外部機器と、当該外部機器に直接接続し、前記画像を出力する画像形成装置とを備えた画像形成システムであって、
前記画像形成装置は、
外部機器から画像を取得する画像取得手段と、
前記画像の出力形態の指定を受け付ける出力形態指定受付手段と、
出力部数の指定を受け付ける出力部数指定受付手段と、
前記出力部数指定手段が複数部数の指定を受け付けた場合に、前記出力形態指定受付手段が受け付けた出力形態で、複数部数だけ前記画像を出力する画像出力手段と
を有することを特徴とする画像形成システム。
【請求項２】
前記画像を識別する画像識別情報を取得する画像識別情報取得手段をさらに有し、
前記画像取得手段は、前記出力部数指定受付手段が複数部数の指定を受け付けた場合に、前記画像識別情報取得手段が取得した前記画像識別情報に基づいて、前記画像出力手段が出力すべき画像を取得することを特徴とする請求項１に記載の画像形成システム。
【請求項３】
前記画像出力手段が出力すべき前記画像を記憶する画像記憶手段をさらに有し、
前記画像出力手段は、前記画像記憶手段に記憶されている前記画像を出力することを特徴とする請求項２に記載の画像形成システム。
【請求項４】
前記画像出力手段が前記画像を出力した後に、前記画像記憶手段の前記画像を削除する削除手段をさらに有することを特徴とする請求項３に記載の画像形成システム。
【請求項５】
前記画像取得手段は、前記出力部数指定受付手段が複数部数の指定を受け付けた場合に、前記複数部数に対応する回数前記画像を取得し、
前記画像出力手段は、前記画像取得手段が前記画像を取得する度に、前記画像を出力し、
前記削除手段は、前記画像出力手段が前記画像を出力する度に、前記画像記録手段の前記画像を削除することを特徴とする請求項４に記載の画像形成システム。
【請求項６】
外部機器に直接接続し、前記画像を出力する画像形成装置であって、
外部機器から画像を取得する画像取得手段と、
前記画像の出力形態の指定を受け付ける出力形態指定受付手段と、
出力部数の指定を受け付ける出力部数指定受付手段と、
前記出力部数指定手段が複数部数の指定を受け付けた場合に、前記出力形態指定受付手段が受け付けた出力形態で、複数部数だけ前記画像を出力する画像出力手段と
を備えたことを特徴とする画像形成装置。
【請求項７】
画像を記憶する外部機器と、当該外部機器に直接接続し、前記画像を出力する画像形成装置とを備えた画像形成システムにおける画像形成方法であって、
前記画像形成装置が、外部機器から画像を取得する画像取得ステップと、
前記画像形成装置が、前記画像の出力形態の指定を受け付ける出力形態指定受付ステップと、
前記画像形成装置が、出力部数の指定を受け付ける出力部数指定受付ステップと、
前記出力部数指定ステップにおいて複数部数の指定を受け付けた場合に、前記出力形態指定受付ステップにおいて受け付けた出力形態で、複数部数だけ前記画像を出力する画像出力ステップと
を有することを特徴とする画像形成方法。
【請求項８】
外部機器に直接接続し、前記画像を出力する画像形成装置における画像形成方法であって、
外部機器から画像を取得する画像取得ステップと、
前記画像の出力形態の指定を受け付ける出力形態指定受付ステップと、
出力部数の指定を受け付ける出力部数指定受付ステップと、
前記出力部数指定ステップにおいて複数部数の指定を受け付けた場合に、前記出力形態指定受付ステップにおいて受け付けた出力形態で、複数部数だけ前記画像を出力する画像出力ステップと
を有することを特徴とする画像形成方法。
【請求項９】
請求項８に記載の画像形成方法をコンピュータに実行させることを特徴とする画像形成プログラム。
【発明の詳細な説明】
【技術分野】
【０００１】
本発明は、外部機器に直接接続する画像形成システム、画像形成装置、当該画像形成装置を含む画像形成システム、画像形成方法および画像形成プログラムに関するものである。
【背景技術】
【０００２】
気軽な画像データ作成手段として、デジタルカメラが飛躍的に普及している。デジタルカメラで撮影した画像を印刷する場合は、デジタルカメラに備えられたメモリカード等に記録された画像をパーソナルコンピュータ(以下ＰＣと称する)に一度取り込んでから、画像の閲覧や加工が行えるようなアプリケーションを立ち上げ、そのＰＣ接続されたプリンタ装置へ、プリンタドライバを介して出力することが一般的である。
【０００３】
しかし、プリンタ装置で出力する場合には、デジタルカメラ内の画像をプリンタに転送する必要があり、また画像をプリントアウトするためのアプリケーション操作やプリンタドライバの設定も必要となる。転送のための操作はユーザにとって煩わしく、また、ＰＣにあまり詳しくないユーザにとっては、上記設定処理は、敷居の高いものとなってしまっている。
【０００４】
この点を顧みて、ＰＣを用いずにデジタルカメラとプリンタとを直接接続することで、直接デジタルカメラ内の画像をプリントアウトできるようなダイレクトプリントシステムの規格が定められ、デジタルカメラおよびプリンタ双方でその規格をサポートした商品が普及しつつある（例えば、「特許文献１」参照）。
【０００５】
【特許文献１】特開２００４−６４７４０号公報
【発明の開示】
【発明が解決しようとする課題】
【０００６】
しかし、ダイレクトプリントは各社共通の通信コマンドであり、その通信コマンドを用いて実現する機能に関しても複雑な印刷指定は用意されておらず、ＰＣからの出力と比べれば機能を限定された出力しかできない。また機能上の追加を行うにもプリンタ側、カメラ側双方の対応が必要であるため、競合他社を含めて新機能の実現を行うのは事実上不可能である。
【０００７】
例えば、同一の画像を複数部印刷する部数印刷に関しても、ＰＣを介しての出力においては容易に可能である。また、ダイレクトプリントにおいては、画像の枚数を指定する機能により可能である。しかし、ダイレクトプリントにおいては、複数の画像を１枚の用紙に集約したものや、ＩＮＤＥＸ印刷など複雑な編集が行われた画像の複数部数の印刷は指定できない。このため、このような編集画像を複数部数得たい場合には、ユーザは所望の部数回だけ出力指示を繰り返す作業が必要で、非常に非効率である。
【０００８】
ダイレクトプリントが本来は写真の出力目的で作られた規格であり、ビジネス用途のようにインデックス印刷や集約した出力結果を配布するような用途を想定していない。このため、現状では、このような要望を満たすには結局ＰＣからの出力を行わざるをえない。
【０００９】
本発明は、上記に鑑みてなされたものであって、より利便性の高い画像形成システムを提供することを目的とする。
【課題を解決するための手段】
【００１０】
上述した課題を解決し、目的を達成するために、請求項１にかかる発明は、画像を記憶する外部機器と、当該外部機器に直接接続し、前記画像を出力する画像形成装置とを備えた画像形成システムであって、前記画像形成装置は、外部機器から画像を取得する画像取得手段と、前記画像の出力形態の指定を受け付ける出力形態指定受付手段と、出力部数の指定を受け付ける出力部数指定受付手段と、前記出力部数指定手段が複数部数の指定を受け付けた場合に、前記出力形態指定受付手段が受け付けた出力形態で、複数部数だけ前記画像を出力する画像出力手段とを有することを特徴とする。
【００１１】
また、請求項２にかかる発明は、請求項１に記載の画像形成システムであって、前記画像を識別する画像識別情報を取得する画像識別情報取得手段をさらに有し、前記画像取得手段は、前記出力部数指定受付手段が複数部数の指定を受け付けた場合に、前記画像識別情報取得手段が取得した前記画像識別情報に基づいて、前記画像出力手段が出力すべき画像を取得することを特徴とする。
【００１２】
また、請求項３にかかる発明は、請求項２に記載の画像形成システムであって、前記画像出力手段が出力すべき前記画像を記憶する画像記憶手段をさらに有し、前記画像出力手段は、前記画像記憶手段に記憶されている前記画像を出力することを特徴とする。
【００１３】
また、請求項４にかかる発明は、請求項３に記載の画像形成システムであって、前記画像出力手段が前記画像を出力した後に、前記画像記憶手段の前記画像を削除する削除手段をさらに有することを特徴とする。
【００１４】
また、請求項５にかかる発明は、請求項４に記載の画像形成システムであって、前記画像取得手段は、前記出力部数指定受付手段が複数部数の指定を受け付けた場合に、前記複数部数に対応する回数前記画像を取得し、前記画像出力手段は、前記画像取得手段が前記画像を取得する度に、前記画像を出力し、前記削除手段は、前記画像出力手段が前記画像を出力する度に、前記画像記録手段の前記画像を削除することを特徴とする。
【００１５】
また、請求項６にかかる発明は、外部機器に直接接続し、前記画像を出力する画像形成装置であって、外部機器から画像を取得する画像取得手段と、前記画像の出力形態の指定を受け付ける出力形態指定受付手段と、出力部数の指定を受け付ける出力部数指定受付手段と、前記出力部数指定手段が複数部数の指定を受け付けた場合に、前記出力形態指定受付手段が受け付けた出力形態で、複数部数だけ前記画像を出力する画像出力手段とを備えたことを特徴とする。
【００１６】
また、請求項７にかかる発明は、画像を記憶する外部機器と、当該外部機器に直接接続し、前記画像を出力する画像形成装置とを備えた画像形成システムにおける画像形成方法であって、前記画像形成装置が、外部機器から画像を取得する画像取得ステップと、前記画像形成装置が、前記画像の出力形態の指定を受け付ける出力形態指定受付ステップと、前記画像形成装置が、出力部数の指定を受け付ける出力部数指定受付ステップと、前記出力部数指定ステップにおいて複数部数の指定を受け付けた場合に、前記出力形態指定受付ステップにおいて受け付けた出力形態で、複数部数だけ前記画像を出力する画像出力ステップとを有することを特徴とする。
【００１７】
また、請求項８にかかる発明は、外部機器に直接接続し、前記画像を出力する画像形成装置における画像形成方法であって、外部機器から画像を取得する画像取得ステップと、前記画像の出力形態の指定を受け付ける出力形態指定受付ステップと、出力部数の指定を受け付ける出力部数指定受付ステップと、前記出力部数指定ステップにおいて複数部数の指定を受け付けた場合に、前記出力形態指定受付ステップにおいて受け付けた出力形態で、複数部数だけ前記画像を出力する画像出力ステップとを有することを特徴とする。
【００１８】
また、請求項９にかかる発明は、コンピュータプログラムであって、請求項８に記載の画像形成方法をコンピュータに実行させることを特徴とする。
【発明の効果】
【００１９】
請求項１にかかる発明によれば、画像取得手段が、外部機器から画像を取得し、出力形態指定受付手段が、画像の出力形態の指定を受け付け、出力部数指定受付手段が、出力部数の指定を受け付け、画像出力手段が、出力部数指定手段が複数部数の指定を受け付けた場合に、出力形態指定受付手段が受け付けた出力形態で、複数部数だけ画像を出力するので、利便性の向上を図ることができるという効果を奏する。
【００２０】
また、請求項２にかかる発明によれば、画像識別情報取得手段が、画像を識別する画像識別情報を取得し、画像取得手段が、出力部数指定受付手段が複数部数の指定を受け付けた場合に、画像識別情報取得手段が取得した画像識別情報に基づいて、画像出力手段が出力すべき画像を取得するので、必要な画像についてのみ画像を取得することにより、処理効率の向上を図ることができるという効果を奏する。
【００２１】
また、請求項３にかかる発明によれば、画像記憶手段が、画像出力手段が出力すべき画像を記憶し、画像出力手段が、画像記憶手段に記憶されている画像を出力するので、必要な画像についてのみ画像を取得保持することにより、処理効率の向上を図ることができるという効果を奏する。
【００２２】
また、請求項４にかかる発明によれば、削除手段が、画像出力手段が画像を出力した後に、画像記憶手段の画像を削除するので、メモリ容量の小さい装置においても、利便性の向上を図ることができるという効果を奏する。
【００２３】
また、請求項５にかかる発明によれば、画像取得手段が、出力部数指定受付手段が複数部数の指定を受け付けた場合に、複数部数に対応する回数画像を取得し、画像出力手段が、画像取得手段が画像を取得する度に、画像を出力し、削除手段が、画像出力手段が画像を出力する度に、画像記録手段の画像を削除するので、メモリ容量の小さい画像においても、利便性の向上を図ることができるという効果を奏する。
【００２４】
また、請求項６にかかる発明によれば、画像取得手段が、外部機器から画像を取得し、出力形態指定受付手段が、画像の出力形態の指定を受け付け、出力部数指定受付手段が、出力部数の指定を受け付け、画像出力手段が、出力部数指定手段が複数部数の指定を受け付けた場合に、出力形態指定受付手段が受け付けた出力形態で、複数部数だけ画像を出力するので、利便性の向上を図ることができるという効果を奏する。
【００２５】
また、請求項７にかかる発明によれば、画像取得ステップにおいて、画像形成装置が、外部機器から画像を取得し、出力形態指定受付ステップにおいて、画像形成装置が、画像の出力形態の指定を受け付け、出力部数指定受付ステップにおいて、画像形成装置が、出力部数の指定を受け付け、画像出力ステップにおいて、出力部数指定ステップにおいて複数部数の指定を受け付けた場合に、出力形態指定受付ステップにおいて受け付けた出力形態で、複数部数だけ画像を出力するので、利便性の向上を図ることができるという効果を奏する。
【００２６】
また、請求項８かかる発明によれば、画像取得ステップにおいて、画像形成装置が、外部機器から画像を取得し、出力形態指定受付ステップにおいて、画像形成装置が、画像の出力形態の指定を受け付け、出力部数指定受付ステップにおいて、画像形成装置が、出力部数の指定を受け付け、画像出力ステップにおいて、出力部数指定ステップにおいて複数部数の指定を受け付けた場合に、出力形態指定受付ステップにおいて受け付けた出力形態で、複数部数だけ画像を出力するので、利便性の向上を図ることができるという効果を奏する。
【００２７】
また、請求項９かかる発明によれば、画像取得ステップにおいて、画像形成装置が、外部機器から画像を取得し、出力形態指定受付ステップにおいて、画像形成装置が、画像の出力形態の指定を受け付け、出力部数指定受付ステップにおいて、画像形成装置が、出力部数の指定を受け付け、画像出力ステップにおいて、出力部数指定ステップにおいて複数部数の指定を受け付けた場合に、出力形態指定受付ステップにおいて受け付けた出力形態で、複数部数だけ画像を出力するので、利便性の向上を図ることができるという効果を奏する。
【発明を実施するための最良の形態】
【００２８】
以下に添付図面を参照して、この発明にかかる画像形成システム、画像形成装置、画像形成方法および画像形成プログラムの最良な実施の形態を詳細に説明する。
【００２９】
（第１の実施の形態）
図１は、本発明の第１の実施の形態にかかる画像形成システム１の全体構成を示す図である。画像形成システム１は、外部機器としてのデジタルスチルカメラ２０と、デジタルスチルカメラ２０とＵＳＢなどにより直接接続され、デジタルスチルカメラ２０により撮影された画像のダイレクトプリントが可能なダイレクトプリンタ１０とを有している。ダイレクトプリンタ１０は、例えばＰｉｃｔ  Ｂｒｉｄｇｅなど特定の通信フォーマットによりダイレクトプリント可能である。
【００３０】
図２は、ダイレクトプリンタ１０およびデジタルスチルカメラ２０の機能構成を示すブロック図である。ダイレクトプリンタ１０は、通信部１００と、印刷設定情報解析部１０２と、記憶部１０４と、記憶装置１０６と、操作部１０８と、画像出力部１１０と、出力設定制御部１１２とを有している。
【００３１】
通信部１００は、ＵＳＢを介してデジタルスチルカメラ２０と通信を行う。印刷設定情報解析部１０２は、デジタルスチルカメラ２０から画像ファイル、画像ファイルを識別する画像ファイルＩＤおよび印刷処理に関する印刷設定情報を受信する。また、ダイレクトプリンタ１０の印刷能力情報をデジタルスチルカメラ２０へ送信する。記憶部１０４は、通信部１００が取得した情報を記憶装置１０６に記憶する。操作部１０８は、ユーザインターフェース（ＵＩ）を介してユーザからの指定を受け付ける。ユーザは例えば部数指定や出力形態の指定などを行うことができる。ここで、出力形態とは、例えば、一枚の紙媒体に複数の画像を出力するなど画像の編集形態のことである。
【００３２】
画像出力部１１０は、指定された画像を紙媒体などに出力する。なお、画像出力部１１０は、操作部１０８が取得した指定に基づいて、同一の画像を複数部数出力することができ、また例えば２つの画像を１枚の紙媒体に出力するような編集画像について複数部数出力することができる。
【００３３】
出力設定制御部１１２は、印刷設定情報解析部１０２により得られた印刷設定情報や操作部１０８が受け付けた指定に基づいて画像出力部１１０を制御する。具体的には、例えば、所定の印刷部数だけ所定の画像ファイルを出力するための制御を行う。さらに、編集画像を所定の印刷部数だけ出力するための制御を行う。
【００３４】
デジタルスチルカメラ２０は、通信部２００と、画像記憶部２０２とを有している。通信部２００は、ＵＳＢを介してダイレクトプリンタ１０と通信を行う。画像記憶部２０２は、メモリカードなどの記録装置である。
【００３５】
ここで、ダイレクトプリントの通信手順について説明する。ダイレクトプリンタ１０とデジタルスチルカメラ２０との接続によって、双方に実装されたダイレクトプリント用アプリケーションによる通信手順が確立する。その後、ダイレクトプリンタ１０が有している機器の印刷能力情報をデジタルスチルカメラ２０に送信する。
【００３６】
デジタルスチルカメラ２０は、印刷能力情報に基づいて、ダイレクトプリンタ１０においてデジタルスチルカメラ２０において設定された印刷条件に従って印刷動作を行わせるための印刷設定情報を送信する。この手順によりメーカーを問わずに、ダイレクトプリンタ１０とデジタルスチルカメラ２０との直接接続によるダイレクトプリントが可能となっている。
【００３７】
その後、ユーザはデジタルスチルカメラ２０のＵＩを操作し、出力したい画像を選択、出力時の用紙サイズの選択やレイアウトの指定、印刷品質の設定等を指定した後、印刷指示を実行する。
【００３８】
この後デジタルスチルカメラ２０は、印刷設定情報と出力指示された画像ファイルＩＤをダイレクトプリンタ１０に通知する。ダイレクトプリンタ１０は、印刷設定情報に基づいて、出力制御やトレイの選択を行い、また画像ファイルＩＤに基づいて、デジタルスチルカメラ２０から個々に画像ファイルを取得し、画像データのデコード、および描画処理を行う。図３は、印刷設定情報を示す図である。なお、ダイレクトプリントにおいては、特開２００４−６７７４０号公報に記載されている。
【００３９】
図４は、ダイレクトプリンタ１０による画像形成処理を示すフローチャートである。操作部１０８が、ユーザによって指定された部数を受け付けた場合には（ステップＳ１００，Ｙｅｓ）、印刷設定情報と画像ファイルＩＤとを記憶装置１０６に記憶する（ステップＳ１０２）。次に、印刷設定情報に基づいて、出力の対象となっている画像ファイルＩＤで特定される画像ファイルをデジタルスチルカメラ２０から取得する（ステップＳ１０４）。なお、例えば１枚の紙媒体に２つの画像を印刷する場合には、２つの画像それぞれの画像ファイルを取得する。
【００４０】
次に、印刷設定情報に基づいた制御の下、所定の画像を用紙に出力する（ステップＳ１０６）。以上ステップＳ１０２〜ステップＳ１０６までの処理を指定された部数分だけ繰り返すことにより（ステップＳ１０８，Ｙｅｓ）、指定部数の印刷物が得られる。
【００４１】
一方、部数指定がない場合には（ステップＳ１００，Ｎｏ）、印刷設定情報と印刷対象となる画像ファイルを取得し（ステップＳ１１０）、次に、取得した画像を用紙に出力する（ステップＳ１１２）。以上で、ダイレクトプリンタ１０における画像形成処理が完了する。
【００４２】
このように、記憶装置１０６には、画像ファイルＩＤのみを記憶しておき、出力時に画像ファイルを取得するので、記憶装置１０６のメモリ容量を小さくすることができる。
【００４３】
また、上記のように１枚の用紙に複数の画像を出力する場合には、複数の画像それぞれの画像ファイルを読み出せばよい。さらに、このような編集画像についても複数部数印刷の指定が可能である。これ以外にも、インデックス印刷などの編集画像についても同様に複数部数印刷の指定が可能である。これにより、編集画像の複数部数印刷の際、ユーザは所望の印刷部数回だけ、出力指示を繰り返す作業が必要となり作業効率の向上を図ることができる。
【００４４】
図５は、実施の形態１にかかるダイレクトプリンタ１０のハードウェア構成を示す図である。ダイレクトプリンタ１０は、ハードウェア構成として、ダイレクトプリンタ１０における画像形成処理を実行する画像形成プログラムなどが格納されているＲＯＭ５２と、ＲＯＭ５２内のプログラムに従ってダイレクトプリンタ１０の各部を制御するＣＰＵ５１と、ダイレクトプリンタ１０の制御に必要な種々のデータを記憶するＲＡＭ５３と、ネットワークに接続して通信を行う通信Ｉ／Ｆ５７と、各部を接続するバス６２とを備えている。
【００４５】
先に述べたダイレクトプリンタ１０における画像形成プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供されてもよい。
【００４６】
この場合には、画像形成プログラムは、ダイレクトプリンタ１０において上記記録媒体から読み出して実行することにより主記憶装置上にロードされ、上記ソフトウェア構成で説明した各部が主記憶装置上に生成されるようになっている。
【００４７】
また、本実施の形態の画像形成プログラムを、インターネット等のネットワークに接続されたコンピュータ上に格納し、ネットワーク経由でダウンロードさせることにより提供するように構成してもよい。
【００４８】
以上、本発明を実施の形態を用いて説明したが、上記実施の形態に多様な変更または改良を加えることができる。
【００４９】
（第２の実施の形態）
次に、第２の実施の形態にかかるダイレクトプリンタ１０について説明する。第２の実施の形態にかかる記憶装置１０６は、ハードディスク（ＨＤＤ）などの大容量記憶装置である。記憶装置１０６は、ジョブで出力するすべてのページ分のフレームメモリなどの内部データを記憶する。
【００５０】
具体的には、画像出力部１１０による出力指示時にデジタルスチルカメラ２０から受信する印刷設定情報から、ページサイズや解像度を決定する。さらに、画像ファイルＩＤに基づいて、画像ファイルをデコード・描画処理し、ジョブで出力する全てのページ分のフレームメモリ等の内部データを記憶装置１０６に記憶する。そして、画像出力時には、記憶装置１０６に記憶されている内部データを用いて指定された印刷部数回、出力処理を行うことで、複数部数の出力を行う。
【００５１】
図６は、第２の実施の形態にかかるダイレクトプリンタ１０による画像形成処理を示すフローチャートである。部数指定がある場合には（ステップＳ１００，Ｙｅｓ）、まず印刷設定情報と画像ファイルとを取得する（ステップＳ１２０）。次に、フレームメモリへの描画処理を行い、フレームメモリを記憶装置１０６に書き出す（ステップＳ１２２）。次に、画像を用紙に出力する（ステップＳ１２４）。以上ステップＳ１２０〜ステップＳ１２４の処理を指定された部数分だけ繰り返すことにより（ステップＳ１２６，Ｙｅｓ）、指定部数の印刷物が得られる。
【００５２】
この場合、画像ファイルの取得と、フレームメモリへの描画処理は一度のみなので、通信コストを低減することができる。また、ステップＳ１２０の時点でデジタルスチルカメラ２０から画像ファイルをすべて受信しているので、これ以降デジタルスチルカメラ２０との通信を切断した場合であっても、これらの所望の画像を出力することができる。
【００５３】
他の例としては、こうして出力処理が完了した後には、記憶装置１０６に記憶されているデータを削除してもよい。さらに、データの削除は自動的に行うこととしてもよい。また、他の例としては、電源オフ時に自動的に削除することとしてもよい。
【００５４】
また、出力処理が完了した後も、画像ファイルなどのデータを記憶装置１０６に記憶させ続けることとしてもよい。この場合には、記憶しているデータを再利用することができる。
【００５５】
なお、第２の実施の形態にかかる画像形成システム１のこれ以外の構成および処理は、第１の実施の形態にかかる画像形成システム１の構成および処理と同様である。
【図面の簡単な説明】
【００５６】
【図１】第１の実施の形態にかかる画像形成システム１の全体構成を示す図である。
【図２】ダイレクトプリンタ１０およびデジタルスチルカメラ２０の機能構成を示すブロック図である。
【図３】印刷設定情報を示す図である。
【図４】ダイレクトプリンタ１０による画像形成処理を示すフローチャートである。
【図５】実施の形態１にかかるダイレクトプリンタ１０のハードウェア構成を示す図である。
【図６】第２の実施の形態にかかるダイレクトプリンタ１０による画像形成処理を示すフローチャートである。
【符号の説明】
【００５７】
１  画像形成システム
１０  ダイレクトプリンタ
２０  デジタルスチルカメラ
５１  ＣＰＵ
５２  ＲＯＭ
５３  ＲＡＭ
５７  通信I／Ｆ
６２  バス
１００  通信部
１０２  印刷設定情報解析部
１０４  記憶部
１０６  記憶装置
１０８  操作部
１１０  画像出力部
１１２  出力設定制御部
２００  通信部
２０２  画像記憶部
【図１】
2007245518.tif 000003
【図２】
2007245518.tif 000004
【図３】
2007245518.tif 000005
【図４】
2007245518.tif 000006
【図５】
2007245518.tif 000007
【図６】
2007245518.tif 000008